(57)【要約】記録媒体が紛失した場合に第三者がデータを無認可で閲覧することを信頼性をもって防止するために電気機器を利用不可能にするための装置および方法が提案される。この装置は、記録媒体の領域に配置され、火工技術的動作用装入物を含むガス発生器を備え、上記動作用装入物についての少なくとも１の燃料または少なくとも１の酸化物が、発生器を作動させた際、導電性の高い金属、特に貴金属または準貴金属を遊離させ、これが上記電子機器における電子部分上に析出する。この方法には、点火器が手動式、センサ式または遠隔操作式に作動可能である場合が含まれる。この発明はさらに、電子データ処理装置および電話であって上記の装置を備えたものに関する。【特許請求の範囲】
【請求項１】
電子機器を利用不可能にするための装置であって、火工技術的動作用装入物を含むガス発生器（１）を備え、前記動作用装入物についての少なくとも１の燃料または少なくとも１の酸化剤が、前記ガス発生器の作動時に、導電性の高い金属、特に貴金属または準貴金属を遊離させ、前記金属が前記電子機器における電子部分上に析出することを特徴とする、装置。
【請求項２】
燃料および／または酸化剤が、前記金属を、蒸気の形でまたはエアロゾル（液体エアロゾルまたは固体エアロゾル）として遊離させることを特徴とする、請求項１に記載の装置。
【請求項３】
動作用装入物（３）が、前記電子機器のシートバーおよび／または記録媒体の領域に配置されることを特徴とする、請求項１または請求項２に記載の装置。
【請求項４】
前記酸化剤が、貴金属または準貴金属の硝酸塩、金属アミン硝酸塩、その混合物からなる群から選択されることを特徴とする、請求項１から請求項３のいずれかに記載の装置。
【請求項５】
前記酸化剤が、銅ジアミン二硝酸塩［Ｃｕ（ＮＨ3）2］（ＮＯ3）2、銅テトラミン二硝酸塩［Ｃｕ（ＮＨ3）4］（ＮＯ3）2、塩基性の銅硝酸塩Ｃｕ（ＮＯ3）2・３Ｃｕ（ＯＨ）2またはその混合物からなる群の貴金属または準貴金属の銅化合物から選択されることを特徴とする、請求項４に記載の装置。
【請求項６】
前記燃料が、微粒子の形を取る、酸素反応能力の高い貴金属または準貴金属、その合金あるいはこれを放出する合金またはその混合物からなる群から選択されることを特徴とする、請求項１から請求項５のいずれかに記載の装置。
【請求項７】
前記燃料が、微粒子の形を取るアルミニウム（Ａｌ）、シリコン（Ｓｉ）、マグネシウム（Ｍｇ）、チタン（Ｔｉ）、タングステン（Ｗ）、ジルコニウム（Ｚｒ）、銅（Ｃｕ）、ホウ素（Ｂ）またはその混合物からなる群から選択されることを特徴とする、請求項６に記載の装置。
【請求項８】
前記燃料が有機金属化合物の群から選択されることを特徴とする、請求項１から請求項７のいずれかに記載の装置。
【請求項９】
前記燃料が金属水素化合物の群から選択されることを特徴とする、請求項１から請求項８のいずれかに記載の装置。
【請求項１０】
前記ガス発生器（１）が、前記動作用装入物（３）と動作結合された点火器を含むことを特徴とする、請求項１から請求項９のいずれかに記載の装置。
【請求項１１】
前記点火器が手動で作動可能であることを特徴とする、請求項１０に記載の装置。
【請求項１２】
前記点火器がセンサにより作動可能であることを特徴とする、請求項１０または請求項１１に記載の装置。
【請求項１３】
前記点火器が遠隔操作可能に作動可能であることを特徴とする、請求項１１または請求項１２に記載の装置。
【請求項１４】
請求項１から請求項１１のいずれかに記載の装置を備えた記録機器。
【請求項１５】
記録媒体を有する読取機器であって、前記読取機器が請求項１から請求項１１のいずれかに記載の装置を備える、読取機器。
【請求項１６】
電気機器を利用不可能にする方法であって、電気機器に設けられたガス発生器が火工技術的動作用装入物により点火され、前記動作用装入物が少なくとも１の燃料または少なくとも１の酸化剤を含み、そのうち少なくとも１つが、前記動作用装入物の作動時に、導電性の高い金属、特に貴金属または準貴金属を遊離させ、前記金属が前記電子機器における電子部分上に析出することを特徴とする、方法。
【請求項１７】
前記燃料または前記酸化剤が金属を蒸気またはエアロゾル（液体エアロゾルまたは固体エアロゾル）として遊離させることを特徴とする、請求項１６に記載の方法。
【請求項１８】
前記電子機器のシートバーおよび／または記録媒体の領域に配置された動作用装入物が設けられることを特徴とする、請求項１６または請求項１７に記載の方法。
【請求項１９】
貴金属または準貴金属の硝酸塩、その混合物からなる群から選択された酸化剤が使用されることを特徴とする、請求項１６から請求項１８のいずれかに記載の方法。
【請求項２０】
銅ジアミン二硝酸塩［Ｃｕ（ＮＨ3）2］（ＮＯ3）2、銅テトラミン二硝酸塩［Ｃｕ（ＮＨ3）4］（ＮＯ3）2、塩基性の銅硝酸塩Ｃｕ（ＮＯ3）2・３Ｃｕ（ＯＨ）2またはその混合物からなる群から選択された貴金属または準貴金属の銅化合物からの酸化剤が使用されることを特徴とする、請求項１９に記載の装置。
【請求項２１】
微粒子の形を取る、酸素反応能力の高い貴金属または準貴金属、その合金あるいはこれを放出する合金またはその混合物からなる群から選択された燃料が使用されることを特徴とする、請求項１６から請求項２０のいずれかに記載の方法。
【請求項２２】
微粒子の形を取るアルミニウム（Ａｌ）、シリコン（Ｓｉ）、マグネシウム（Ｍｇ）、チタン（Ｔｉ）、タングステン（Ｗ）、ジルコニウム（Ｚｒ）、銅（Ｃｕ）、ホウ素（Ｂ）またはその混合物からなる群から選択された燃料が使用されることを特徴とする、請求項２１に記載の方法。
【請求項２３】
有機金属化合物の群から選択された燃料が使用されることを特徴とする、請求項１６から請求項２１のいずれかに記載の方法。
【請求項２４】
金属水素化合物の群から選択された燃料が使用されることを特徴とする、請求項１６から請求項２３のいずれかに記載の方法。
【請求項２５】
前記動作用装入物が、前記ガス発生器における前記動作用装入物と動作結合された点火器によって点火されることを特徴とする、請求項１６から請求項２４のいずれかに記載の方法。
【発明の詳細な説明】
【技術分野】
【０００１】
この発明は、電子機器を利用不可能にするための装置および対応する方法に関するものである。
【背景技術】
【０００２】
今日、電子記録媒体、たとえばコンピュータまたはラップトップのハードディスク、移動データベース、電子手帳、携帯電話などのマイクロチップには多数のデータが記録されているが、通常このデータを第三者が無認可で閲覧するのを防止することが重要とされている。これは情報の中でも特にデータ保護下にあるものや、またはその他たとえば安全管理技術上または軍事上の理由から機密保持を必要とするものに当てはまる。さらに言及すべきこととしては、企業が社内情報たとえば研究結果や顧客ファイルなどの機密保持に極めて大きな関心を持っていることが挙げられる。
【発明の開示】
【発明が解決しようとする課題】
【０００３】
特に、電子的データキャリアの記憶容量がますます増大する中で、蓄積されたデータに対する無認可のアクセスを防止する強い要求が出ている。この要求は特にラップトップ、電子手帳または携帯電話など携帯用の機器で大きいが、それはこれらの機器がしばしば盗まれることがあり、さらにまた、蓄積データへのアクセスに対するパスワードなどソフトウェア技術における安全措置は有効な保護を提供しないことも多いからである。その他、場合によってこのような電子機器を利用不可能にしてしまうことへの関心もある。
【０００４】
この発明の目的は、電子機器を安全にかつ信頼をもって利用不可能にすることである。
【課題を解決するための手段】
【０００５】
この発明の課題を解決するために、当該分野に従う方法においては、火工技術的動作用装入物を有するガス発生器が設けられ、上記動作用装入物についての少なくとも１の燃料または少なくとも１の酸化剤が、上記発生器を作動させた際に、導電性の金属、特に貴金属または準貴金属を遊離させ、これら金属が当該電子機器における電子部分上に析出する。
【０００６】
この発明に従う形態では、ガス発生器を点火した際に、金属、特に金属含有のエアロゾルがシートバー上で導体トラック間に堆積してここで導電性の結合物をもたらし、これにより導体トラック間で短絡を生じさせて当該機器を機能できなくする。当該電子機器が記録媒体を含む場合、この発明ではさらに、これに不可逆的な損傷を与えてここに記録されたデータを永続的に破壊することでこのデータへの無認可のアクセスを確実に回避する。
【０００７】
健康を損ねたりガス発生器が思わぬときに作動させられるのを回避するために、一方では動作用装入物が熱的・機械的に敏感でないこと、他方では、動作用装入物やこれから遊離した多くはガス状の生成物が毒理学的に問題がないことが望ましい。このようなガス発生器は広範囲にわたる温度区間で安全にかつ信頼性をもって動作し、かつ機械的または熱的な作用の結果不所望に作動させられることを回避する。現在のガス発生器はその設計サイズが小さくなっているので、現在の小型化した通信手段、たとえば携帯電話、電子手帳、ラップトップなどにも組込みが可能となっている。
【０００８】
この発明に従うと、機器を利用不可能にすることは主に短絡結合物の生成によりなされ、動作用装入物についての少なくとも１の燃料または少なくとも１の酸化剤が作動時に金
属含有の液体または固体のエアロゾルを遊離させ、これが電子機器内に析出する。動作用装入物により点火時に遊離されたエアロゾルは、金属や金属酸化物などからなる蒸気の高温の粒子や滴などを含むことができ、シートバーまたは記録媒体の低温の表面上に析出して当該加工材料構造に不可逆的な損傷を与え、これにより光学的、誘電的および／または磁気的な特性が変化する。これはたとえば導体トラック間の短絡によってなされ、その際場合によっては存在するラッカー層または保護層が高い熱エネルギによって浸透し、または、燃焼の際に生じたエアロゾルがたとえばハードディスクまたはデータキャリア駆動装置に入り込むことによってなされる。金属の沈殿物によって当該機器または記録媒体は永続的に機能不能となり、すなわち後者の例では蓄積データが回復不可能に消去される。また、データの破壊が、火工技術的動作用装入物の燃焼の結果として記録媒体が不可逆的に熱損傷を受けることによって行なわれることもある。こうして、ガス発生器を好適に位置付けることにより、電子構成要素および機器自体を完全に利用不可能にすることが可能となる。
【０００９】
好ましい実施例では、上記酸化剤は、金属硝酸塩、金属アミン硝酸塩またはその混合物からなる群から選択され、上記酸化剤は特に、銅ジアミン二硝酸塩［Ｃｕ（ＮＨ3）2］（ＮＯ3）2、銅テトラミン二硝酸塩［Ｃｕ（ＮＨ3）4］（ＮＯ3）2、塩基性の銅硝酸塩Ｃｕ（ＮＯ3）2・３Ｃｕ（ＯＨ）2またはその混合物からなる群から選択可能である。このような酸化剤自体はＤＥ  ４４  ４２  ０３７  Ｃ１より公知となっている。この酸化剤は毒性がなく、毒性のない分解生成物をもたらし、高い燃焼速度で厳しい使用条件下においても長寿命でかつ機能有効期間が長い。この酸化剤はさらに低い吸湿力を特徴としており、湿度の高い環境条件下でも問題なく機能できる。上記の酸化剤の燃焼の際、強い金属含有のエアロゾル送達が起こり、その結果元素銅が記録媒体上に析出し、これに永続的な損傷を与える。
【００１０】
使用される酸化剤のみが所望の金属含有のエアロゾル送達を引起すのである限り、燃料としては基本的に任意の公知の有機物または無機物が代表的な例として考えられ、燃料はたとえば、３−ニトロ−１，２，４−トリアゾール−５−オン（ＮＴＯ）、ニトログアニジン（ＮＩＧＵ）、トリアミノグアニジン硝酸塩（ＴＡＧＮ）、５−アミノ−１Ｈ−テトラゾール（５−ＡＴＺ）、ジグアニジニウム−５，５′−アゾテトラゾラート（ＧＺＴ）またはその混合物からなる群から選択可能である。上述した燃料は一方では敏感でなくかつ毒理学的に問題がなく、他方では比較的高い分子の窒素割合を比較的低い炭素割合で有するため、大部分が毒性のない窒素（Ｎ2）へと転化される。炭素部分は酸化剤によりほぼ完全に酸化されて毒性のない二酸化炭素となる。
【００１１】
上記酸化剤の代わりに、またはこれに加えて、動作用装入物の燃焼時に燃料が所望の金属含有のエアロゾル送達をもたらすことが求められる場合、好ましい実施例において燃料は、微粒子の形を取る、酸素反応能力の高い金属、半金属、その合金またはその混合物からなる群から選択される（ＤＥ  ４４  ４２  ０２７  Ｃ１）。この場合には、特に、微粒子の形を取るアルミニウム（Ａｌ）、シリコン（Ｓｉ）、マグネシウム（Ｍｇ）、チタン（Ｔｉ）、タングステン（Ｗ）、ジルコニウム（Ｚｒ）、銅（Ｃｕ）、ホウ素（Ｂ）またはその混合物からなる群からの金属が考えられ、これが金属層または固体の金属酸化物層として記録媒体上に析出する。
【００１２】
もう１つの好ましい実施例では、燃料は有機金属化合物の群から選択され、ここでたとえば金属アルキル、金属アルケニル、金属アルキニル、金属アリール、金属カルボニル化合物などが考えられ、これらは特に上記した金属たとえばトリメチルアルミニウム（Ａｌ（ＣＨ3）3）を含有する。さらに、金属水素化合物たとえばＴｉＨ2やＳｉＨ4などが好適であるとわかった。
【００１３】
ガス発生器の点火器はまず手動で作動可能である場合があり、ここではたとえば、パスワードが何度も誤って入力された場合に点火器を活性化することにより、記録媒体上に蓄積されたデータへ無認可でアクセスの試みがあればこれが破壊されるようにする。さらにまた、点火器をセンサによって作動可能とすることもあり、ここでは基本的に任意の公知のセンサ、たとえば光電子遮断柵、動き検出器、熱センサや音センサ、圧力センサなどが考えられる。センサ作動式の点火器の使用が考えられるのは特に、建物または交通機関、たとえば民間航空機または電子軍事システムを備えた軍用機に固定して設けられたコンピュータまたはマイクロチップの記録媒体である。さらに点火器は遠隔操作可能に、特に電子メールまたはショート・メッセージ・サービス（ＳＭＳ）などにより電話的または電子的に遠隔送信可能なコードを用いて作動可能であることもあり、これは特にラップトップ、携帯電話または電子手帳など携帯用の機器の場合に、これら機器が紛失した際に蓄積データが無認可で閲覧されるのに対する有効な保護をもたらす。
【００１４】
上述の点火方法をさらに具体化して、点火器を目的に応じて電気的に活性化可能とし、これに好ましくは記録媒体の電力供給手段により電力を供給することができる。記録媒体が固定データ処理装置に設けられる場合には点火器に公共配電電圧を供給することが有利であるのに対し、記録媒体が携帯用の機器に設けられる場合には、電力を電池または蓄電器によって供給する点火器が好適である。
【００１５】
この発明に従う装置を容易かつ経済的に組立てることは、たとえば動作用装入物と結合された点火用ワイヤによって可能であり、これは動作用装入物の点火プロセスを電気的あるいは熱的に開始させる。
【００１６】
動作用装入物の分解生成物特に金属含有のエアロゾルが、動作用装入物の燃焼時に周囲へ漏れることを防ぐために、ガス発生器と記録媒体とは１つの保護ハウジング内に配置されることが好ましい。
【００１７】
この発明はさらに、電子的データ処理装置、特にコンピュータ、ラップトップ、電子手帳など、電話特に携帯電話、またはさらに記録機器たとえばハードディスク、光学的焼付け器、または、ＣＤ−ＲＯＭまたはＤＶＤドライブなどの記録媒体を伴う読取機器であって、上述の類の装置を備えたものに関する。
【発明を実施するための最良の形態】
【００１８】
以下、図面を参照しながら、記録媒体を含んだ実施例によりこの発明についてより詳細に説明する。
【００１９】
図１は、記録媒体（図示せず）上に電子的に蓄積されたデータを破壊するよう働くガス発生器１を示し、これは記録媒体のすぐ近くに、たとえばマイクロチップの形を取る記録媒体のシートバー（図４）上に配置される。ガス発生器１は、ハウジング２と、ハウジング２内に収容された動作用装入物３（図３）とを備える。この実施例では、ハウジング２は薄壁のプラスチック円筒物で形成され、これは動作用装入物３を点火した際に破裂する。動作用装入物３は、たとえば微粒子のアルミニウム粉末（燃料）や、［Ｃｕ（ＮＨ3）4］（ＮＯ3）2とＣｕ（ＮＨ3）2・３Ｃｕ（ＯＨ）2（酸化剤）との均質な混合物からなり、これはたとえば５：７０：２５質量％の割合にある。点火器（詳細には説明しない）は動作用装入物３に組込まれた点火ワイヤ４を含み、これはこの実施例では円筒型のハウジング２に径方向に貫入する。点火器には記録媒体の電力供給手段によって電力を供給し、たとえば遠隔送信可能なコードによって作動可能である。ガス発生器１と記録媒体とは場合により１つの共通の保護ハウジング（図示せず）内に収容される。ガス発生器１を再び図２で断面図として示す。
【００２０】
図４は、導体板５と、その上に配置された電子構成要素６と、例としていくつかの導体トラック７と、それからガス発生器１の形を取るこの発明に従う装置とを示す。
【００２１】
ガス発生器１を点火すると、圧力波が生じてハウジング２が破裂し、動作用装入物３の燃焼の結果として金属含有のエアロゾルが形成される。エアロゾルは、もはや除去不可能な金属層あるいは金属酸化層として記録媒体上に堆積する。さらに、自由になる反応エンタルピーによる記録媒体の熱損傷が起こる。このようにして記録媒体は修復不可能な損傷を受け、ここに蓄積されたデータは永続的かつ回復不可能に破壊される。
【図面の簡単な説明】
【００２２】
【図１】ガス発生器の斜視図である。
【図２】図１のガス発生器の側面図である。
【図３】図１および図２のガス発生器を線ＩＩＩ−ＩＩＩで切断して観察した断面図である。
【図４】この発明に従う装置と導体板上にある電子構成要素との構成を示す図である。
【図１】
2005516761.tif 000002
【図２】
2005516761.tif 000003
【図３】
2005516761.tif 000004
【図４】
2005516761.tif 000005
【国際調査報告】
2005516761.tif 000006
2005516761.tif 000007
2005516761.tif 000008
2005516761.tif 000009
2005516761.tif 000010
2005516761.tif 000011